(57)【特許請求の範囲】
【請求項１】
棚板に直接、載置され、左右方向に並べられるとともに、前記棚板に接触しない面にボスがそれぞれ設けられた複数のシャーシと、
これら複数のシャーシに回動自在に設けられ、左右方向に並べられた複数の鍵と、
当該並べられた複数の鍵の左右方向の全域にわたって延びる細長いアングル材で構成され、前記複数のシャーシのすべてに前記ボスを介して取り付けられ、当該すべてのシャーシを互いに連結する連結部材と、を備えることを特徴とする鍵盤楽器の鍵盤装置。
【請求項２】
前記複数のシャーシの少なくとも一部は、互いに同様の寸法および形状を備えた１種類の複数のシャーシで構成されていることを特徴とする請求項１に記載の鍵盤楽器の鍵盤装置。
【請求項３】
前記１種類のシャーシには、１オクターブの整数倍分の鍵が設けられていることを特徴とする請求項２に記載の鍵盤楽器の鍵盤装置。
【発明の詳細な説明】
【０００１】
【発明の属する技術分野】
本発明は、電子ピアノなどに用いられる鍵盤楽器の鍵盤装置に関する。
【０００２】
【従来の技術】
従来、この種の鍵盤楽器の鍵盤装置として、例えば特開昭６３−１２８３９７号公報に記載されたものが知られている。この鍵盤装置では、１個の金属製のシャーシ（フレーム）上に多数の鍵が左右方向に並んで取り付けられている。このシャーシには、多数の溝や孔などが形成されており、各鍵は、これらの溝および孔に係合した状態で、シャーシに回動自在に取り付けられている。また、シャーシは、１枚の金属板（例えば、鋼板）にプレス金型を用いた打ち抜き加工を施すとともに、曲げ金型を用いた曲げ加工などを施すことによって、一体に製作されている。
【０００３】
一方、金属製のシャーシに代えて合成樹脂製のシャーシを用いた鍵盤装置がある。このような合成樹脂製のシャーシは、金型を備えた射出成形機によって射出成形されている。
【０００４】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズになっている。このため、シャーシの加工時に使用される、プレス金型、曲げ金型および射出成形用の金型や、プレス機および射出成形機を含めた製造設備が大型になり、製造コストの増大を招いている。これに加えて、シャーシの試作段階において、シャーシに形成される孔や鍵ガイドの位置などが金型の製造誤差などによってずれてしまうことがあり、これらの位置を揃えるための金型調整が必要になる場合がある。この場合、上記金型が大型であることにより、溝や孔の位置ずれを調整すべき範囲が広くなることによって、金型の調整作業に手間暇がかかり、結果として製造コストをさらに増大させるという問題がある。
【０００５】
また、鍵盤装置には、通常の８８鍵に限らず、様々な鍵数のものがある。しかしながら、例えば８８鍵用のシャーシを加工するための金型を製作してしまうと、これを７６鍵用のシャーシの加工に転用できない。このため、鍵数の異なる多数種のシャーシを製作する場合に、多数種の金型を別々に製作しなければならず、製造コストがより一層、増大してしまう。
【０００６】
本発明は、上記課題を解決するためになされたもので、シャーシの製造コストの大幅な削減によって、製造コストを大幅に削減することができるとともに、組立を容易に行える鍵盤楽器の鍵盤装置を提供することを目的とする。
【０００７】
【課題を解決するための手段】
請求項１の鍵盤楽器の鍵盤装置は、棚板に直接、載置され、左右方向に並べられるとともに、棚板に接触しない面にボスがそれぞれ設けられた複数のシャーシと、これら複数のシャーシに回動自在に設けられ、左右方向に並べられた複数の鍵と、当該並べられた複数の鍵の左右方向の全域にわたって延びる細長いアングル材で構成され、複数のシャーシのすべてにボスを介して取り付けられ、すべてのシャーシを互いに連結する連結部材と、を備えることを特徴とする。
【０００８】
この鍵盤楽器の鍵盤装置によれば、１つの鍵盤装置用のシャーシが複数に分割構成されていて、それらを別々に製造できるので、１つの鍵盤装置に対して１個のシャーシを製造する従来の場合と比べて、シャーシ１個当りのサイズを小型化できる。これによって、シャーシ製造に用いる、金型やプレス機などを含めた製造設備を小型化できるとともに、試作段階の金型調整も容易になるので、シャーシの製造コストを大幅に削減でき、したがって、鍵盤装置の製造コストを大幅に削減することができる。
【０００９】
また、複数のすべてのシャーシが、それらの各々に設けたボスを介し、複数の鍵の左右方向の全域にわたって延びる細長いアングル材で構成された連結部材によって、互いに連結されるので、例えば、シャーシを楽器本体に取り付ける前に、連結部材で連結した複数のシャーシに鍵を取り付けることが可能になるなど、鍵盤装置の組立の自由度が高められる。そして、そのように、楽器本体への取付前に、楽器本体外で鍵盤装置を組み立てることによって、その組立作業、および複数のシャーシ相互間やそれらに取り付けられた鍵相互間の位置関係の調整作業などを容易に行うことができ、楽器本体にシャーシや鍵などを順次、組み込んだ場合に生じやすい鍵の表面の損傷などを回避することができる。また、連結部材がアングル材で構成されているので、そのような単純な構成の連結部材を用いることによって、鍵盤装置の構成を単純化することができる。
【００１０】
上記において、複数のシャーシの少なくとも一部は、互いに同様の寸法および形状を備えた１種類の複数のシャーシで構成されていることが好ましい。
【００１１】
この鍵盤楽器の鍵盤装置によれば、１つの鍵盤装置に用いるシャーシの共通化を図ることができ、シャーシ製造に用いる金型の種類を減らすことができる。これによって、製造コストをさらに削減することができる。
【００１２】
また、上記において、１種類のシャーシには、１オクターブの整数倍分の鍵が設けられていることが好ましい。
【００１３】
一般的な鍵盤装置では、白鍵および黒鍵の配置が１オクターブ毎に同一に繰り返されるので、この鍵盤楽器の鍵盤装置のように、シャーシをオクターブ単位で分割構成すれば、１つの鍵盤装置においてシャーシの共通化が容易になる。また、異なる鍵数の鍵盤装置間で、白鍵および黒鍵の寸法および形状などを標準化すれば、１種類のシャーシを鍵数の異なる様々な鍵盤装置に適用することができる。したがって、鍵盤楽器の鍵盤装置の製造コストを大幅に削減することができる。特に、シャーシを１オクターブ分の鍵用に分割構成すれば、１つの鍵盤装置において鍵盤部の大部分を１種類のシャーシで構成できるとともに、シャーシを適用可能な鍵盤装置の範囲を最大限に拡げることができる。
【００１４】
【発明の実施の形態】
以下、添付図面を参照しながら、本発明の第１実施形態に係る鍵盤楽器の鍵盤装置について説明する。図１および図２は、本発明を適用した電子ピアノの鍵盤装置を示している。両図に示すように、鍵盤装置１では、多数の鍵３が複数のシャーシ２に回動自在に取り付けられており、これら複数のシャーシ２は、前後の連結部材４，４によって互いに連結された状態で、棚板５に取り付けられている。
【００１５】
複数のシャーシ２は、棚板５上に左右方向に並べられており、中央の７個（図１には２個のみ示す）のシャーシ２と、図示しない最低音部用および最高音部用のシャーシの、計９個のシャーシで構成されている。このうち、７個のシャーシ２は、互いに同じ寸法および形状を備えた１種類のシャーシ２で構成されており、各シャーシ２には、１オクターブ分の鍵３、すなわち７個の白鍵３０および５個の黒鍵３１で構成された１２個の鍵３が取り付けられている。また、最低音部用および最高音部用のシャーシには、最低音部の３個の鍵３および最高音の１個の鍵３がそれぞれ取り付けられている。このように、鍵盤装置１は、全部で８８個の鍵３を備えている（図１には２４個のみ示す）。
【００１６】
中央の７個のシャーシ２はそれぞれ、同じ金型で製作された、例えばＡＢＳ樹脂製の射出成形品で構成され、矩形の平面形状を有している。図２に示すように、シャーシ２の下面には、棚板５へ取り付けるための３つのボス２ａ，２ａ，２ａが、下方に同じ長さで突出しかつ前後方向（図２の左右方向）に１列に等間隔で並ぶように、形成されている。これら１列のボス２ａは、シャーシ２の左右端部にそれぞれ設けられており（１列のみ図示）、シャーシ２は、全部で６個のボス２ａを備えている。各ボス２ａには、補強用の４つのリブ２ｂが前後左右に一体に形成されている（３つのみ図示）。また、シャーシ２の下面の左右端部には、前側および中央のボス２ａ，２ａの間に、前連結部材４を取り付けるための２個の前連結ボス２ｃ，２ｃ（１個のみ図示）が下方に突出してそれぞれ形成され、これと同様に、後側のボス２ａの後方に、後連結部材４を取り付けるための２個の後連結ボス２ｃ，２ｃ（１個のみ図示）が下方に突出してそれぞれ形成されている。
【００１７】
一方、最低音部用および最高音部用のシャーシはそれぞれ、シャーシ２用の射出成形機の金型に入子型を用いることによって、Ｖ字形の溝付きのシャーシを射出成形し、この溝付きシャーシを溝に沿って切断することにより、製作されている。
【００１８】
以上９個のシャーシは、前後の連結部材４，４によって互いに連結されている。各連結部材４は、シャーシ２の左右方向の全体に渡る長さを備えた細長いアングル状のものであり、例えば、アルミ合金の押出成形品で構成されている。連結部材４は、図２に示すように、水平な取付部４ａと、その後端から上方に延びる鉛直部４ｂとにより、断面逆Ｌ字状に形成されている。前連結部材４は、取付部４ａの部分で、各シャーシ２の左右端部に形成した前連結ボス２ｃ，２ｃに、下方からねじ６，６で固定され、これと同様に、後連結部材４も、後連結ボス２ｃ，２ｃに下方からねじ６，６で固定されている（図１参照）。
【００１９】
また、白鍵３０および黒鍵３１はそれぞれ、例えばＡＢＳ樹脂製の射出成形品で構成されており、以下、白鍵３０を例にとり、その構成を説明する。白鍵３０の後端部には、下方に延びる可撓部３０ａと、この可撓部３０ａから後方に延びる取付部３０ｂと、が形成されている。可撓部３０ａは、白鍵３０が押鍵された際に、弾性変形して撓むような厚みに形成され、取付部３０ｂは、白鍵３０が常時、斜め後ろ下がりの姿勢になるように、ネジ５を介してシャーシ２の後端部の上面に固定されている。白鍵３０の前部には、フック状のストッパ部３０ｃが形成されており、ストッパ部３０ｃは、シャーシ２の孔２ｄを通って下方に突出している。
【００２０】
一方、シャーシ２の上面および下面には、ゴム製の下限ストッパ２ｅおよび上限ストッパ２ｆが、それぞれ取り付けられている。以上の構成によって、白鍵３０は、ストッパ部３０ｃが上限ストッパ２ｆに当接する斜め後ろ下がりの離鍵位置（図２に示す位置）と、白鍵３０の下面が下限ストッパ２ｅに当接する押鍵位置（図示せず）との間で回動自在にシャーシ２に取り付けられており、常時は、離鍵位置に位置する。
【００２１】
さらに、シャーシ２の前端部には、階段状に一段低くなった段部が形成されており、この段部には、白鍵３０の揺動を案内する鍵ガイド２ｇが立設されている。この鍵ガイド２ｇによって、白鍵３０は、その揺動時に、左右方向にぶれないように案内される。
【００２２】
シャーシ２の中央部には、鍵３の押鍵状態を検出するための鍵スイッチ７が設けられている。この鍵スイッチ７は、シャーシ２にねじ止めされたプリント回路基板（以下、「基板」という）７ａと、その上面に設けられたスイッチ本体７ｂとを備えている。スイッチ本体７ｂは、シャーシ２に形成した孔２ｈを介して上方に突出しているとともに、基板７ａを介して電子ピアノの発音を制御する制御装置（図示せず）に接続されている。一方、白鍵３０の中央部には、下方に突出するアクチュエータ部３０ｄが形成されており、アクチュエータ部３０ｄは、スイッチ本体７ｂの上面に常に当接している。したがって、白鍵３０が押鍵されるのに伴い、そのアクチュエータ部３０ｄがスイッチ本体７ｂを押下し、オン動作させることによって、白鍵３０の押鍵状態が検出される。この検出結果に応じて、制御装置が電子ピアノの発音を制御するようになっている。
【００２３】
白鍵３０は、以上のように構成されており、説明は省略するが、黒鍵３１も白鍵３０とほぼ同様に構成されている。
【００２４】
以上の構成の鍵盤装置１は、例えば、シャーシ２、鍵３および前後の連結部材４，４などを組み立て、さらにシャーシ２相互間や鍵３相互間の位置関係の調整を終えた後、棚板５に取り付けられる。この取付けは、各シャーシ２に形成した前記左右１列のボス２ａと、これらに対応して棚板５に形成された図示しない孔とを介して、ねじ止めによって行われる（図示せず）。なお、この棚板５は、アルミ合金の押出成形品などで構成されている。
【００２５】
以上のように構成された本実施形態の鍵盤装置１によれば、鍵３を取り付けるためのシャーシが、１オクターブ分用の７個のシャーシ２と、最低音部用および最高音部用の２個のシャーシとに分割構成されているので、シャーシの製造に用いる、射出成形用の金型や射出成形機を含めた製造設備を小型化できる。また、金型の小型化によって試作段階の金型調整も容易になる。これに加えて、鍵盤楽器における鍵３の配置は、通常、１オクターブ毎に同一に繰り返されるので、シャーシ２に１オクターブ分の鍵３を取り付ける構成としたことによって、７個のシャーシ２の寸法や形状などを同一にでき、シャーシ２を製造するための金型を共通化できる。さらに、シャーシ２を製造するための金型に入子型を用いることによって、最高音部および最低音部用のシャーシをそれぞれ製作でき、１つの金型で鍵盤装置１のすべてのシャーシを製作できる。したがって、シャーシ２の製造コストを大幅に削減でき、鍵盤装置１の製造コストを大幅に削減することができる。
【００２６】
また、鍵数の異なる鍵盤装置間で、鍵３の寸法や形状などを同一にして、シャーシを標準化すれば、シャーシ２を鍵盤装置１だけでなく鍵数の異なる他の鍵盤装置にも適用することができ、鍵盤装置の製造コストをより大幅に削減することができる。
【００２７】
さらに、７個のシャーシ２と、最低音部用および最高音部用の２個のシャーシとが連結部材４で互いに一体に連結されるので、前述したように、シャーシ２を棚板５などに取り付ける前に、連結部材４で一体に連結したシャーシに鍵３を取り付けることが可能になるなど、鍵盤装置１の組立の自由度が高められる。そして、そのように、棚板５への取付け前に、例えば、楽器本体外で鍵盤装置１を組み立てることによって、その組立作業、および各シャーシ相互間やそれらに取り付けられた鍵３相互間の位置関係の調整作業を容易に行うことができ、楽器本体にシャーシ２や鍵３などを順次、組み込んだ場合に生じやすい鍵３の表面の損傷などを回避できる。
【００２８】
次に、本発明の第２実施形態に係る鍵盤楽器の鍵盤装置について説明する。図３に示すように、本実施形態の鍵盤装置１は、シャーシ２の断面形状や鍵３の後端部のシャーシ２への取付部の構成が少し異なっている以外は、第１実施形態の鍵盤装置１とほぼ同様の構成を備えている。特に、図示はしないが、シャーシ２は、７個のシャーシ２と、最低音部用および最高音部用のシャーシの、計９個のシャーシで分割構成されており、これらのシャーシ２は、左右方向に延びる前後の連結部材４，４０によって互いに連結されている。白鍵３０は、シャーシ２の後端部に設けられた回動支点９に回動自在に支持されており、その上面後端部の係合突起３０ａが、復帰ばね８を介して後連結部材４０に連結されている。これによって、白鍵３０は常時、離鍵方向に付勢されている。黒鍵３１も同様に構成されている。
【００２９】
以上のように構成された本実施形態の鍵盤装置１によれば、第１実施形態の鍵盤装置１と同様に、分割構成したシャーシ２が、２つの連結部材４，４０によって一体に連結される。これによって、その製造コストを大幅に削減することができるとともに、組立が容易になる。
【００３０】
さらに、本発明の第３実施形態に係る鍵盤楽器の鍵盤装置について説明する。図４に示すように、本実施形態の鍵盤装置１は、鍵３の押鍵動作に伴って回動するハンマ１０を備えている点と、ハンマ１０が鍵スイッチ７を押下する点と、シャーシ２の断面形状と、鍵３の後端部のシャーシ２への取付部の構成とが少し異なっている以外は、第１実施形態の鍵盤装置１とほぼ同様の構成を備えている。特に、図示はしないが、シャーシ２は、７個のシャーシ２と、最低音部用および最高音部用のシャーシの、計９個のシャーシで分割構成されており、これらのシャーシ２は、左右方向に延びる前中後３つの連結部材４，４１，４によって互いに連結されている。前後の連結部材４，４はそれぞれ、ボス２ｃ，２ｃにねじ止めされている。中央の連結部材４１は、水平に延びる上下の取付部４１ａ，４１ｂを備えており、上取付部４１ａは基板７に、下取付部４１ｂは棚板５に、それぞれねじ止めされている。
【００３１】
以上のように構成された本実施形態の鍵盤装置１によれば、第１実施形態の鍵盤装置１と同様に、分割構成したシャーシ２が、３つの連結部材４，４１，４によって一体に連結される。これによって、その製造コストを大幅に削減できるとともに、組立が容易になる。
【００３２】
なお、上記各実施形態においては、本発明の鍵盤装置１を電子ピアノに適用したものについて説明したが、本発明の鍵盤装置１はこれに限らず、他の電子楽器（例えばシンセサイザなど）や、アコースティックタイプの鍵盤楽器に適用してもよい。また、シャーシ２をＡＢＳ樹脂製としたが、シャーシ２の材質はこれに限らず、他の合成樹脂（例えばポリスチレンやポリアセタールなど）およびセラミックなどでもよい。また、鋼板にプレス金型を用いた打ち抜き加工を施したり、曲げ金型を用いた曲げ加工などを施したりすることによって、シャーシ２を製造してもよい。このようにすれば、シャーシ２の製造に用いる、金型やプレス機などを含めた製造設備を小型化でき、前述したように、鍵盤装置の製造コストを大幅に削減できる。
【００３３】
さらに、上記各実施形態においては、鍵３をＡＢＳ樹脂製としたが、鍵３の材質はこれに限らず、鋼などの金属、他の合成樹脂（例えばポリスチレンやポリアセタールなど）および木質材などでもよい。また、連結部材４をアルミ合金で構成したが、これに限らず、鋼などの他の金属で構成してもよい。さらに、最低音部用および最高音部用のシャーシを製作するために、シャーシ２用の射出成形機の金型に入子型を用いることによって、Ｖ字形の溝付きのシャーシを射出成形するようにしたが、シャーシ２用の射出成形機の金型の形状を変更することによって、シャーシ２自体をＶ字形の溝付きのシャーシとして射出成形し、鍵盤装置１に用いるようにしてもよい。
【００３４】
また、上記各実施形態においては、左右方向に延びる連結部材４または連結部材４０，４１によって分割構成された複数のシャーシ２を互いに連結するようにしたが、これに限らず、前後方向に延びる連結部材によって、各シャーシ２の両側端部をそれぞれ隣接するシャーシ２の一側端部に連結するようにしてもよい。
【００３５】
【発明の効果】
以上のように、本発明の鍵盤楽器の鍵盤装置によれば、シャーシの製造コストの大幅な削減によって、製造コストを大幅に削減することができるとともに、組立を容易に行うことができる。
【図面の簡単な説明】
【図１】本発明の第１実施形態に係る電子ピアノの鍵盤装置の一部を省略した底面図である。
【図２】図１の鍵盤装置の側断面図である。
【図３】第２実施形態に係る鍵盤楽器の鍵盤装置の側断面図である。
【図４】第３実施形態に係る鍵盤楽器の鍵盤装置の側断面図である。
【符号の説明】
１              鍵盤装置
２              シャーシ
３              鍵
４，４０，４１  連結部材
【図１】
0003717664.tif 000002
【図２】
0003717664.tif 000003
【図３】
0003717664.tif 000004
【図４】
0003717664.tif 000005